(57)【要約】    【課題】室内の壁に簡単に設置され、小型の草花等も綺麗に飾ることができる壁掛け具の提供。    【解決手段】この壁掛け具１０は、本体１３と、保持具１４と、密着機構１５とを備える。本体１３は、半円錐形状に形成されており、内部に収容室１８が形成されている。装飾物品は、この収容室１８に収容される。本体１３は、クロスメンバー１７を有し、クロスメンバー１７には凹部２４が設けられている。保持具１４は、弾性板２８を備える。この弾性板２８と凹部２４とにより上記密着機構１５が構成される。弾性板２８は、凹部２４に嵌め込まれる。本体１３は、弾性板２８の弾性力によって壁面１１に押圧される。【選択図】図２
2005245654.tif 000002
【特許請求の範囲】
【請求項１】
装飾物品を収容する収容部及び壁面に当接される当接面を有する器状の本体と、
壁面に固定され、本体を係合保持する保持具と、
本体の当接面を壁面に押圧して本体を壁面に密着させる密着機構とを備えた壁掛け具。
【請求項２】
上記密着機構は、
上記保持具に設けられ、上記壁面に近接／離反する方向に弾性変形可能な係合突片と、
上記当接面と同一平面上又は上記当接面よりも上記収容部側に配置され、上記係合突片を収容保持する係合凹部とを備える請求項１に記載の壁掛け具。
【発明の詳細な説明】
【技術分野】
【０００１】
本発明は、例えば室内装飾のために、壁に装飾物品を取り付けるための壁掛け具の構造に関するものである。
【背景技術】
【０００２】
従来から、室内装飾を目的として写真、絵画、陶器等の装飾物品が壁に掛けられることがある。装飾物品が壁に綺麗に取り付けられるために、従来から種々の壁掛け具が提案されている（例えば、特許文献１〜特許文献７参照）。特に最近では、趣味としてのガーデニングの発達に伴い、室内の壁に生花や造花が飾られることもある。生花や造花は、他の装飾品と異なって一般に壁に飾りにくく、そのために専用の壁掛け具も提案されている（例えば、特許文献８、特許文献９参照）。
【０００３】
【特許文献１】特開２００３−７９４９９号
【特許文献２】特開２００２−２２３９１２号
【特許文献３】特開２００２−２１９０３６号
【特許文献４】特開２００２−１６５６８６号
【特許文献５】特開平１０−１５１０６１号公報
【特許文献６】特開平８−２７５６９３号公報
【特許文献７】特開平８−１８７１４８号公報
【特許文献８】特開２００１−２１８６６２号
【特許文献９】特開平８−１６４９６７号公報
【発明の開示】
【発明が解決しようとする課題】
【０００４】
しかし、特に生花や造花を飾るための従来の壁掛け具は一般に大形のものであり（上記特許文献８参照）、壁に簡易に設置することは困難であった。また、鉢植えの花を保持して壁に掛けられる壁掛け具も提案されているが（上記特許文献９参照）、この壁掛け具は、壁に固定されるものではないので、例えば庭に生えている草花を摘み取ってこれを簡易に且つ綺麗に飾ることは困難であった。
【０００５】
そこで、本発明の目的は、室内の壁に簡単に設置することができ、小型の草花等も綺麗に飾ることができる壁掛け具を提供することである。
【課題を解決するための手段】
【０００６】
(1) 上記目的が達成されるため、本発明に係る壁掛け具は、装飾物品を収容する収容部及び壁面に当接される当接面を有する器状の本体と、壁面に固定され、本体を係合保持する保持具と、本体の当接面を壁面に押圧して本体を壁面に密着させる密着機構とを備えたことを特徴とするものである。
【０００７】
この構成によれば、保持具が壁面に固定される。保持具の固定手段としては、既知の簡易な手段、たとえば小ねじによる締結や、両面テープ等が採用され得る。本体は、保持具によって保持され、壁に掛けられる。このとき、密着機構によって本体の当接面が壁面に押圧されるから、本体は、がたつくことなく壁面に密着される。装飾物品は、本体の収容部に収容される。本体は紙や樹脂等によって構成されることも可能である。
【０００８】
(2) 上記密着機構は、上記保持具に設けられ、上記壁面に近接／離反する方向に弾性変形可能な係合突片と、上記当接面と同一平面上又は上記当接面よりも上記収容部側に配置され、上記係合突片を収容保持する係合凹部とを備えて構成され得る。
【０００９】
この場合には、保持具が壁面に取り付けられた後、本体の係合凹部に保持具の係合突片が挿入されることによって本体が保持具に取り付けられる。このとき、係合突片は、壁面に対して近接する方向又は離反する方向に弾性変形可能であるから、仮に係合突片が壁面から離反する方向に変形した場合には、それにより生じる弾性力によって元の位置に復帰する。しかも、係合凹部は、当接面と同一平面上あるいは当接面よりも本体の内側（収容部側）に設けられているから、当接面は、係合凹部よりも壁面側に配置される。したがって、係合突片が係合凹部に保持された状態では、上記当接面は、上記壁面と当接する状態におかれ、本体が壁面から離反する方向へ変位することが防止される。また、予め係合突片が壁面に近接されていれば、係合突片は、壁面から離反する方向に弾性変形した状態で係合凹部に保持される。したがって、この場合には、本体が常時壁面に弾性付勢されることになる。
【発明の効果】
【００１０】
以上のように本発明によれば、例えば庭に生えている草花等であっても、つみ取られた後に簡単且つ迅速に本体に収容され、簡単で効果的な室内装飾が可能である。しかも、本体が壁面に密着されているから、装飾物品が綺麗に飾られる。
【発明を実施するための最良の形態】
【００１１】
以下、適宜図面が参照されつつ、好ましい実施形態に基づいて本発明が詳細に説明される。
【００１２】
図１は、本発明の一実施形態に係る壁掛け具１０の斜視図である。図２は、この壁掛け具１０の分解斜視図である。また、図３は、図１におけるIII−III断面図である。
【００１３】
この壁掛け具１０は、図１が示すように、室内の壁面１１に簡易に且つ一定の保持力で確実に取り付けられるものであり、草花１２等を簡単に且つ綺麗に飾ることができる。壁掛け具１０は、本体１３と、本体１３を保持する保持具１４と、本体１３を壁面１１に密着させる密着機構１５とを備えている。
【００１４】
図１及び図２が示すように、本体１３は、ケーシング１６とクロスメンバー１７とを有し、これらは、例えば紙、樹脂、金属等により構成される。本実施形態では、ケーシング１６とクロスメンバー１７とは別部材として構成されているが、これらが一体的に形成されていてもよい。ケーシング１６は、外形形状が略半円錐形に形成されており、内部に収容室１８が形成されている。この収容室１８を区画する壁面も略半円錐形に形成されており、この収容室１８には草花等が差し込まれるようになっている。
【００１５】
ケーシング１６は、略円弧状に形成された湾曲部材１９から構成されている。湾曲部材１９の端面２１は、上記壁面１１と当接する当接面を構成する。
【００１６】
クロスメンバー１７は、基板２２と係止板２３とを有する。基板２２は、略矩形の薄肉板からなり、上記湾曲部材１９の両端部に架け渡されるように配置されている。この基板２２は、例えば接着剤等により湾曲部材１９に固着される。また、係止板２３は、薄肉板が略Ｌ字状に屈曲形成されたものであり、基板２２の上縁部に取り付けられている。係止板２３は、例えば接着剤等により基板２２に固着される。ただし、係止板２３は、基板２２と一体的に形成されていてもよい。
【００１７】
基板２２に係止板２３が設けられることによって、両者間に凹部２４（係合凹部）が形成される。この凹部２４は、後に詳述される保持具１４を挿入保持するようになっている。なお、本実施形態では、基板２２と係止板２３とによって上記凹部２４が形成されるのであるが、要するに上記保持具１４が挿入保持され得る空間（凹部２４）が形成されるならば、係止板２３は他の形状であってもよい。また、本実施形態では、係止板２３には、五角形の切欠孔２５が設けられている。これにより、上記保持具１４が上記凹部２４に容易に挿入されるようになっている。
【００１８】
さらに、図３が示すように、係止板２３は、その表面２６が上記当接面２１から内側に距離ｄの位置に配置されるように取り付けられている。この距離ｄは、５ｍｍ程度に設定される。ただし、係止板２３の表面２６は、距離ｄ＝０となるように、すなわち、上記当接面２１と同一平面上に配置されていてもよい。
【００１９】
次に、図２が示すように、保持具１４は、固定板２７と弾性板２８（係合突片）とを有している。固定板２７は、平板部材からなり、金属、樹脂、木材等により構成される。固定板２７の外形形状は特に限定されるものではないが、上記係止板２３に設けられた切欠孔２５にぴったりと嵌め込まれ得る形状であることが好ましい。
【００２０】
弾性板２８は、帯状に形成された平板部材からなり、例えばバネ鋼により構成される。弾性板２８は、ねじ３０により固定板２７に締結されている。本実施形態では、固定板２７に嵌合凹部が設けられており、この嵌合凹部に弾性板２８が嵌め込まれている。このため、弾性板２８の表面と固定板２７の表面とは同一平面上に配置されている。ただし、弾性板２８の表面と固定板２７の表面とは同一平面上に配置されていなくてもよいことは勿論である。弾性板２８を固定板２７に締結するねじ３０は、当該固定板２７を上記壁面１１に締結する。これにより、固定板２７及び弾性板２８は、壁面１１に固定されることになる。もっとも、固定板２７を上記壁面１１に締結固定する他の締結部材が採用されてもよいことは勿論である。
【００２１】
弾性板２８の上端部３１は、同図が示すように略円形に湾曲形成されている。この上端部３１の外径寸法は、上記凹部２４（図３参照）の隙間寸法に対応されている。したがって、この上端部３１は、上記凹部２４に隙間無く嵌め込まれるようになっている。ただし、弾性板２８の上端部３１は、かかる形状に形成されていなくてもよい。なお、本実施形態では、弾性板２８は、長手方向に真直な平板部材として構成されているが、予め上記壁面１１側へ湾曲形成されていてもよい。弾性板２８がこのように湾曲形成されることによる作用効果については、後述される。
【００２２】
密着機構１５は、上記弾性板２８と、上記クロスメンバー１７に設けられた凹部２４とにより構成されている。図３が示すように、上記弾性板２８は、上記凹部２４に挿入され、保持される。このとき、弾性板２８は、上記壁面１１に近接する方向又は離反する方向に変形し得るが、そのように変形した場合には、当該変形により生じる弾性力によって復元する。この復元力は、上記クロスメンバー１７に付加される。
【００２３】
壁面１１に固定された保持具１４に本体１３が取り付けられるときは、上記弾性板２８が一旦壁面１１から離反する方向に変形された後、上記クロスメンバー１７の凹部２４に挿入される。このため、クロスメンバー１７は壁面１１側に弾性付勢され、その結果、本体１３は、上記弾性板２８の上記復元力（弾性力）によって壁面１１に弾性付勢される。これにより、本体１３の当接面２１は、壁面１１に常時当接することになる。
【００２４】
このように本実施形態に係る壁掛け具１０では、保持具１４がねじ３０により簡単に壁面１１に固定され、本体１３は、この保持具１４にきわめて簡単に掛けられ、保持される。しかも、上記密着機構１５によって本体１３の当接面２１が壁面１１に押圧されるから、本体１３は、がたつくことなく壁面１１に密着される。したがって、つみ取られた草花等は、本体１３の収容室１８に収容され、綺麗に飾られることになる。なお、本実施形態では、本体１３に上記切欠孔２５が設けられているので、保持具１４に代えてねじや釘等が壁面１１に立設されている場合であっても、これらねじや釘等が上記切欠孔２５に挿入されるだけで、より簡単に本体１１が壁面１１に掛けられることになる。
【００２５】
特に本実施形態では、上記密着機構１５は、上記弾性板２８が上記本体１３に設けられた凹部２４に挿入されることによって構成され、弾性板２８の弾性変形による復元力（弾性力）によって本体１３が壁面１１に押圧される。したがって、密着機構１５の構成がきわめて簡単でありながら、本体１３の確実な保持が実現されるという利点がある。加えて、前述のように、予め弾性板２８が壁面１１に近接する方向に変形されている場合には、本体１３が保持具１４に保持されるときは、弾性板２８が一旦壁面から離反する方向に弾性変形されることから、当該弾性板２８が本体１３の凹部２４に挿入された状態では、強い復元力が本体１３に作用し、したがって、本体１３は、より強固に壁面１１に押圧される。これにより、本体１３はより確実に壁面１１に固定され、壁掛け具としての安定性に優れる。
【産業上の利用可能性】
【００２６】
本発明は、草花等の小物を壁に飾るための壁掛け具に適用され得る。
【図面の簡単な説明】
【００２７】
【図１】図１は、本発明の一実施形態に係る壁掛け具の斜視図である。
【図２】図２は、本発明の一実施形態に係る壁掛け具の分解斜視図である。
【図３】図３は、図１におけるIII−III断面図である。
【符号の説明】
【００２８】
１０・・・壁掛け具
１１・・・壁面
１２・・・草花
１３・・・本体
１４・・・保持具
１５・・・密着機構
１６・・・ケーシング
１７・・・クロスメンバー
１８・・・収容室
２１・・・当接面
２２・・・基板
２３・・・係止板
２４・・・凹部
２５・・・切欠孔
２６・・・表面
２７・・・固定板  
２８・・・弾性板
【図１】
2005245654.tif 000003
【図２】
2005245654.tif 000004
【図３】
2005245654.tif 000005